(57)【要約】【課題】窓枠に対して内障子と外障子とを所望の位置に固定することができる障子固定装置および引き違い窓を提供する。【解決手段】引き違い窓１に、内障子３の框４に固定される固定部１１と、引き違い窓１の見込み方向において固定部１１と外障子５の框６との間に配置される押接部１２と、固定部１１と押接部１２とを接続し、接部１２を固定部１１に対して見込み方向に進退移動させる進退機構１３とを有して構成された障子固定装置１０を設け、進退機構１３により押接部１２を外障子５の框６に押し付け、障子固定装置１０により内障子３と外障子５とを見込み方向に離間させる力を発生させた状態にすることで、窓枠２に対して内障子３および外障子５を固定する。【選択図】図４
2018204242.tif 000002
【特許請求の範囲】
【請求項１】
窓枠の内側に配設された室内側の内障子と室外側の外障子とを備える引き違い窓に装着して使用する障子固定装置において、
前記内障子の框に固定される固定部と、前記引き違い窓の見込み方向において前記固定部と前記外障子の框との間に配置される押接部と、前記固定部と前記押接部とを接続し、前記押接部を前記固定部に対して前記見込み方向に進退移動させる進退機構とを備え、
前記進退機構により前記押接部を前記外障子の框に押し付け、前記内障子と前記外障子とを前記見込み方向に互いに離間させる力を発生させた状態にすることで、前記窓枠に対して前記内障子および前記外障子が固定された状態となり、
前記進退機構により前記押接部と前記外障子の框とを離間させた状態にすることで、前記窓枠に対する前記内障子および前記外障子の固定が解除された状態となることを特徴とする障子固定装置。
【請求項２】
前記進退機構が、前記固定部に設けられた雌ネジ穴部と、先端部に前記押接部が設けられ前記雌ネジ穴部を挿通して見込み方向に延在する雄ネジ部材とで構成された請求項１に記載の障子固定装置。
【請求項３】
窓枠と、この窓枠の内側に配設された室内側の内障子と室外側の外障子とを備える引き違い窓において、
前記内障子の框に固定された固定部と、当該引き違い窓の見込み方向において前記固定部と前記外障子の框との間に配置された押接部と、前記固定部と前記押接部とを接続し、前記押接部を前記固定部に対して前記見込み方向に進退移動させる進退機構とを有して構成された障子固定装置を備え、
前記進退機構により前記押接部を前記外障子の框に押し付け、前記障子固定装置によって前記内障子と前記外障子とを前記見込み方向に互いに離間させる力を発生させた状態にすることで、前記窓枠に対して前記内障子および前記外障子が固定された状態となり、
前記進退機構により前記押接部と前記外障子の框とを離間させた状態にすることで、前記窓枠に対する前記内障子および前記外障子の固定が解除された状態となることを特徴とする引き違い窓。
【請求項４】
前記進退機構が、前記固定部に設けられた雌ネジ穴部と、先端部に前記押接部が設けられ、前記雌ネジ穴部を挿通して見込み方向に延在する雄ネジ部材とで構成された請求項３に記載の引き違い窓。
【請求項５】
前記押接部が前記内障子の召合せ框と前記外障子の框との間に配置されている請求項３または４に記載の引き違い窓。
【発明の詳細な説明】
【技術分野】
【０００１】
本発明は、障子固定装置および引き違い窓に関し、より詳細には、窓枠に対して内障子と外障子とを所望の位置に固定することができる障子固定装置および引き違い窓に関する。
【背景技術】
【０００２】
コンテナターミナルなどで使用される岸壁クレーンや門型クレーンには、オペレータが搭乗する運転室が設けられている（例えば、特許文献１参照）。この運転室には一般的な引き違い窓が設置されている。クレーンの運転室はブームやガーダに沿って移動するので、クレーンの荷役中に換気等のために窓を開けた状態で運転室を移動させると、窓枠に対して内障子や外障子が意図しない移動をするおそれがあった。
【先行技術文献】
【特許文献】
【０００３】
【特許文献１】特開２０１６−１９３７７８号公報
【発明の概要】
【発明が解決しようとする課題】
【０００４】
本発明は、上記の状況を鑑みてなされたものであり、その目的は、窓枠に対して内障子と外障子とを所望の位置に固定することができる障子固定装置および引き違い窓を提供することにある。
【課題を解決するための手段】
【０００５】
上記のような目的を達成するための本発明の障子固定装置は、窓枠の内側に配設された室内側の内障子と室外側の外障子とを備える引き違い窓に装着して使用する障子固定装置において、前記内障子の框に固定される固定部と、前記引き違い窓の見込み方向において前記固定部と前記外障子の框との間に配置される押接部と、前記固定部と前記押接部とを接続し、前記押接部を前記固定部に対して前記見込み方向に進退移動させる進退機構とを備え、前記進退機構により前記押接部を前記外障子の框に押し付け、前記内障子と前記外障子とを前記見込み方向に互いに離間させる力を発生させた状態にすることで、前記窓枠に対して前記内障子および前記外障子が固定された状態となり、前記進退機構により前記押接部と前記外障子の框とを離間させた状態にすることで、前記窓枠に対する前記内障子および前記外障子の固定が解除された状態となることを特徴とする。
【０００６】
上記のような目的を達成するための本発明の引き違い窓は、窓枠と、この窓枠の内側に配設された室内側の内障子と室外側の外障子とを備える引き違い窓において、前記内障子の框に固定された固定部と、当該引き違い窓の見込み方向において前記固定部と前記外障子の框との間に配置された押接部と、前記固定部と前記押接部とを接続し、前記押接部を前記固定部に対して前記見込み方向に進退移動させる進退機構とを有して構成された障子固定装置を備え、前記進退機構により前記押接部を前記外障子の框に押し付け、前記障子固定装置によって前記内障子と前記外障子とを前記見込み方向に互いに離間させる力を発生させた状態にすることで、前記窓枠に対して前記内障子および前記外障子が固定された状態となり、前記進退機構により前記押接部と前記外障子の框とを離間させた状態にすることで、前記窓枠に対する前記内障子および前記外障子の固定が解除された状態となることを特徴とする。
【発明の効果】
【０００７】
本発明によれば、固定部と押接部と進退機構とを有して構成された障子固定装置によって、内障子と外障子とを見込み方向に互いに離間させる力を発生させることで、内障子と外障子とが窓枠に押し付けられ、内障子と外障子とが窓枠の幅方向へ移動し難い状態になる。これにより、窓を閉めた状態に限らず、窓を開けた状態においても、窓枠に対して内障子と外障子とを所望の位置で固定することが可能となる。
【図面の簡単な説明】
【０００８】
【図１】本発明に係る第１の実施形態の引き違い窓を正面視で模式的に例示する説明図である。
【図２】図１の引き違い窓を縦断面視で模式的に例示する説明図であり、図２の（ａ）は障子固定装置によって窓枠に対して内障子と外障子とを固定した状態を示す説明図であり、図２の（ｂ）は障子固定装置による固定を解除した状態を示す説明図である。
【図３】図１の引き違い窓を横断面視で模式的に例示する説明図であり、図３の（ａ）は障子固定装置によって窓枠に対して内障子と外障子とを固定した状態を示す説明図であり、図３の（ｂ）は障子固定装置による固定を解除した状態を示す説明図である。
【図４】図３の（ａ）の障子固定装置近傍を拡大して示す説明図である。
【図５】本発明に係る第２の実施形態の引き違い窓を横断面視で模式的に例示する説明図である。
【図６】本発明に係る第３の実施形態の引き違い窓を横断面視で模式的に例示する説明図であり、図６の（ａ）は障子固定装置によって窓枠に対して内障子と外障子とを固定した状態を示す説明図であり、図６の（ｂ）は障子固定装置による固定を解除した状態を示す説明図である。
【図７】図６の引き違い窓を縦断面視で模式的に例示する説明図であり、図７の（ａ）は障子固定装置によって窓枠に対して内障子と外障子とを固定した状態を示す説明図であり、図７の（ｂ）は障子固定装置による固定を解除した状態を示す説明図である。
【発明を実施するための形態】
【０００９】
以下、本発明の障子固定装置および引き違い窓を図に示した実施形態に基づいて説明する。本願図中のＸ方向は引き違い窓の幅方向、Ｙ方向は引き違い窓の見込み方向、Ｚ方向は引き違い窓の上下方向（鉛直方向）を示している。
【００１０】
図１〜図４に例示する本発明に係る第１の実施形態の引き違い窓１は、窓枠２と、この窓枠２の内側に配設された室内側の内障子３と室外側の外障子５とを備えている。図１に示すように、内障子３と外障子５は、それぞれ戸先框４ａ、６ａと、召合せ框４ｂ、６ｂと、上框４ｃ、６ｃと、下框４ｄ、６ｄとで構成された框４、６の内側にガラス板７が嵌め込まれて形成されている。図２に示すように、内障子３と外障子５の下框４ｄ、６ｄにはそれぞれ戸車８が設けられている。窓枠２の下枠２ａには、内障子３と外障子５のそれぞれの戸車８が係合した状態で走行する２本のガイドレールが、見込み方向に離間して設けられている。
【００１１】
なお、引き違い窓１を構成する窓枠２、ガイドレール、内障子３、外障子５、ガラス板７、および戸車８の材質や形状、サイズ等は特に限定されず、他にも様々な構成にすることができる。例えば、引き違い窓１は、単層ガラス構造に限らず、複層ガラス構造にすることもできる。この実施形態では、窓枠２に対して内障子３と外障子５とがそれぞれ幅方向に移動可能な構成を例示しているが、窓枠２に対して内障子３と外障子５のいずれか一方が固定され移動しない構成にすることもできる。
【００１２】
本発明の引き違い窓１には、窓枠２に対して内障子３と外障子５とを所望の位置で固定可能な障子固定装置１０が備えられている。
【００１３】
図３および図４に示すように、障子固定装置１０は、内障子３の框４に固定された固定部１１と、見込み方向において固定部１１と外障子５の框６との間に配置された押接部１２と、固定部１１と押接部１２とを接続し、押接部１２を固定部１１に対して見込み方向に進退移動させる進退機構１３とを有して構成されている。
【００１４】
この実施形態の固定部１１は、平板形状の板状部材と、板状部材を内障子３の框４に固定する固定金具とで構成されている。固定部１１は、一部分が内障子３の召合せ框４ｂの室内側の下方位置に固定されており、他部分は内障子３の召合せ框４ｂよりも幅方向外側へ突出した状態で配置されている。固定金具としてはビスやネジが例示できる。固定部１１と内障子３の框４は、固定金具の他にも例えば、溶接や接着剤、接着テープ等で接合することもできる。
【００１５】
この実施形態の進退機構１３は、固定部１１に設けられた雌ネジ穴部１３ａと、先端部に押接部１２が設けられ、雌ネジ穴部１３ａを挿通して見込み方向に延在する雄ネジ部材１３ｂとで構成されている。より具体的には、内障子３の幅方向外側へ突出している固定部１１の他部分に雌ネジ穴部１３ａを構成するナットが接合されており、固定部１１に雌ネジ穴部１３ａと連通する貫通孔が形成されている。そして、雌ネジ穴部１３ａと固定部１１の貫通孔とを挿通するように、ボルトからなる雄ネジ部材１３ｂが嵌め込まれている。雄ネジ部材１３ｂは外障子５の面方向に対して垂直となる見込み方向に延在配置されている。
【００１６】
雄ネジ部材１３ｂの外障子５側の先端部には押接部１２の後端部が接合されている。雄ネジ部材１３ｂの室内側の後端部には雄ネジ部材１３ｂを軸方向を中心にして回すためのハンドル１４が設けられている。外障子５の框６と対面する押接部１２の先端部には、滑り止め部材１２ａが設けられている。滑り止め部材１２ａは、例えば、摩擦抵抗の比較的大きいゴムや樹脂等で形成できる。なお、滑り止め部材１２ａを設けない構成にすることもできる。
【００１７】
ハンドル１４を一方向に回すと、固定部１１（雌ネジ穴部１３ａ）に対して雄ネジ部材１３ｂとともに押接部１２が外障子５側に移動し、固定部１１と押接部１２との見込み方向における離間距離が増加する。逆に、ハンドル１４を他方向に回すと、固定部１１に対して雄ネジ部材１３ｂとともに押接部１２が室内側に移動し、固定部１１と押接部１２との見込み方向における離間距離が減少する構成になっている。
【００１８】
次に、障子固定装置１０の使用方法を説明する。
【００１９】
障子固定装置１０によって窓枠２に対して内障子３と外障子５とを固定するときには、図２の（ａ）に示すように、進退機構１３により押接部１２を外障子５の框６に押し付けた状態にする。そして、障子固定装置１０によって内障子３と外障子５とを見込み方向に互いに離間させる力を発生させた状態にすることで、窓枠２に対して内障子３と外障子５とを固定する。
【００２０】
この実施形態では、押接部１２が外障子５の下框６ｄに押し付けられるまで、ハンドル１４を一方向に回す。そして、ハンドル１４が回し難くなるまでハンドル１４を一方向に回すと、障子固定装置１０により内障子３と外障子５とを見込み方向に互いに離間させる力が発生した状態となり、窓枠２に対して内障子３と外障子５とが固定される。
【００２１】
一方、図２の（ｂ）に示すように、進退機構１３により押接部１２と外障子５の框６とを離間させた状態にすると、窓枠２に対する内障子３および外障子５の固定が解除され、窓枠２に対して内障子３と外障子５とが移動可能な状態となる。この実施形態では、ハンドル１４を他方向に回して、押接部１２と外障子５の下框６ｄとを離間させると障子固定装置１０による固定が解除される。
【００２２】
このように、本発明では、障子固定装置１０によって、内障子３と外障子５とを見込み方向に互いに離間させる力を発生させることで、内障子３と外障子５とが窓枠２に押し付けられた状態となる。これにより、窓枠２と内障子３および外障子５との間の摩擦力、特に戸車８と窓枠２の下枠２ａ（ガイドレール）との間の摩擦力が大きくなり、内障子３と外障子５とが窓枠２に対して幅方向へ移動し難い状態となる。つまり、障子固定装置１０によって内障子３と外障子５とが窓枠２に押し付けられることで、窓枠２に対して内障子３と外障子５とが所謂建付けの悪い状態となる。
【００２３】
これにより、本発明では、窓を閉めた状態に限らず、窓を開けた状態においても、窓枠２に対して内障子３と外障子５とを所望の位置で固定することが可能となる。つまり、本発明では引き違い窓１の左右両側を開口した状態でも内障子３と外障子５とを固定することが可能となる。コンテナターミナルなどで使用されるクレーンの運転室に本発明の障子固定装置１０を採用すれば、窓を開けた状態で運転室が移動した場合にも、障子固定装置１０によって内障子３や外障子５の意図しない移動を防止することが可能となる。
【００２４】
さらに、本発明では、障子固定装置１０により内障子３と外障子５とを見込み方向に互いに離間させる力を発生させることで、窓枠２に対する内障子３および外障子５の見込み方向の動きも抑制することができる。これにより、クレーンの運転室のような振動下においても、窓枠２に対する内障子３および外障子５の見込み方向の振動を抑制することができ、運転室内の騒音の低減を図るにも有利になる。つまり、従来の一般的な引き違い窓では、窓枠２と内障子３および外障子５との間に、ある程度の可動域（所謂、遊び）が設けられているため、窓枠２に対して内障子３と外障子５とが見込み方向に振動し易い構造となっている。しかし、本発明では、障子固定装置１０によって窓枠２に対して内障子３と外障子５とを見込み方向に押し付けることで、窓枠２に対して内障子３と外障子５とが見込み方向にも振動し難い状態となる。
【００２５】
本発明の引き違い窓１は新規に製造することもできるが、一般的な引き違い窓に新たに障子固定装置１０を付設することで本発明の引き違い窓１を形成することもできる。障子固定装置１０は、既存の引き違い窓の内障子３の框４に固定部１１を固定するだけで容易に装着することができる。このように、本発明の引き違い窓１および障子固定装置１０は工作性にも優れており、非常に汎用性が高い。
【００２６】
特に、この実施形態のように、進退機構１３を雌ネジ穴部１３ａと、雄ネジ部材１３ｂとで構成すると障子固定装置１０を非常に簡素に構成できるので、工作性や製造コストの面で益々有利になる。なお、進退機構１３はこの実施形態の構成に限定されず、他にも様々な構成にすることができる。例えば、進退機構１３は、電動シリンダ等のシリンダ機構や、クランク機構などで構成することもできる。具体的には例えば、シリンダ機構を採用する場合には、固定部１１にシリンダの後端部を接合し、シリンダに対して見込み方向に進退移動するロッドの先端部に押接部１２を設けることで、進退機構１３を構成することができる。この場合には、例えば、シリンダに対するロッドの突出長さを変更し、障子固定装置１０による固定と解除の切替を行うスイッチなどを設ければ、電動や油圧で動く障子固定装置１０を形成することができる。
【００２７】
障子固定装置１０は、内障子３の上方位置に配置することもできるが、この実施形態のように内障子３の下方位置に配置する方が望ましい。障子固定装置１０を内障子３の下方位置に配置すると、戸車８を窓枠２の下枠２ａ（ガイドレール）に効果的に押し付けることができるので、障子固定装置１０によって窓枠２に対して内障子３と外障子５とをより固定し易くなる。なお、障子固定装置１０は内障子３の複数箇所に設けることもできる。
【００２８】
この実施形態のように、押接部１２の先端部に滑り止め部材１２ａを設けると、滑り止め部材１２ａによって押接部１２と外障子５の框６との幅方向の相対移動が抑制されるため、内障子３と外障子５がより幅方向に移動し難くなる。それ故、窓枠２に対して内障子３と外障子５とをより強固に固定することができる。
【００２９】
上述したように、本発明の引き違い窓１および障子固定装置１０は、クレーンの運転室に設置する場合に特に大きな効果を発揮するが、他にも例えば、建築物や建設機械の運転室などに設置することもできる。例えば、障子固定装置１０は、防犯用やチャイルドロック用の補助ロック装置として利用することもできる。具体的には例えば、窓を狭く開けた状態で障子固定装置１０によって内障子３と外障子５の位置を固定すれば、換気を行いつつ、子供がさらに窓を開けて外に落下するような事故を防ぐこともできる。
【００３０】
図５に、本発明に係る第２の実施形態の引き違い窓１Ａおよび障子固定装置１０Ａを示す。
【００３１】
この実施形態の固定部１１は、Ｚ形鋼（乙形鋼）のように直角に２段階に屈曲したＺ字形状の板状部材で構成されている。そして、内障子３の框４に固定されている固定部１１の一部分よりも、進退機構１３が接続されている固定部１１の他部分が外障子５の框６により近い位置に配置されている。
【００３２】
このように、固定部１１をＺ字形状の板状部材で構成すると、固定部１１を平板状の板状部材で構成する場合よりも、進退機構１３（雄ネジ部材１３ｂ）の見込み方向の長さをより短くできるので、障子固定装置１０Ａをよりコンパクトにできる。さらに、雄ネジ部材１３ｂの見込み方向の長さが短くなることで、雄ネジ部材１３ｂと固定部１１との接続部分（雌ネジ穴部１３ａ）にかかる回転モーメントも低減させることができる。これにより、押接部１２に幅方向の力が生じた場合にも、雄ネジ部材１３ｂが外障子５に対してより傾き難くなるので、窓枠２に対して内障子３および外障子５を強固に固定するには有利になる。
【００３３】
図６および図７に、本発明に係る第３の実施形態の引き違い窓１Ｂおよび障子固定装置１０Ｂを示す。
【００３４】
先に示した実施形態では、押接部１２が内障子３の召合せ框４ｂの幅方向外側に配置されているが、この実施形態では、押接部１２が内障子３の召合せ框４ｂと外障子５の框６との間に配置されている。内障子３の召合せ框４ｂの室内側には、固定部１１と雌ネジ穴部１３ａとを構成するナットが接合されている。内障子３の召合せ框４ｂには、召合せ框４ｂを見込み方向に貫通し、押接部１２が収納可能な収納部１５が形成されている。そして、雌ネジ穴部１３ａと収納部１５を挿通するように、ボルトからなる雄ネジ部材１３ｂが嵌め込まれている。雄ネジ部材１３ｂの外障子５側の先端部には押接部１２の後端部が接合されており、雄ネジ部材１３ｂの室内側の後端部にはハンドル１４が設けられている。
【００３５】
この障子固定装置１０Ｂの使用方法は先に示した実施形態の障子固定装置１０、１０Ａと同じである。ただし、図６の（ｂ）に示すように、この実施形態の障子固定装置１０Ｂでは、ハンドル１４を他方向に回して、固定部１１と押接部１２との見込み方向における離間距離を減少させると、押接部１２が収納部１５に収納されて押接部１２と外障子５の框６とが離間した状態となる。
【００３６】
この実施形態のように、押接部１２を内障子３の召合せ框４ｂと外障子５の框６との間に配置した構成にすると、障子固定装置１０Ｂをより一層コンパクトにできる。さらに、障子固定装置１０Ｂが内障子３の幅方向外側に突出しない構成となるので、内障子３の召合せ框４ｂと外障子５の戸先框６ａとが重なるように、引き違い窓１Ｂを全開に開口させた場合にも、窓枠２に対して内障子３と外障子５とを固定することが可能となる。
【符号の説明】
【００３７】
１、１Ａ、１Ｂ  引き違い窓
２  窓枠
２ａ  （窓枠の）下枠
３  内障子
４  （内障子の）框
４ａ  戸先框
４ｂ  召合せ框
４ｃ  上框
４ｄ  下框
５  外障子
６  （外障子の）框
６ａ  戸先框
６ｂ  召合せ框
６ｃ  上框
６ｄ  下框
７  ガラス板
８  戸車
１０、１０Ａ、１０Ｂ  障子固定装置
１１  固定部
１２  押接部
１２ａ  滑り止め部材
１３  進退機構
１３ａ  雌ネジ穴部
１３ｂ  雄ネジ部材
１４  ハンドル
１５  収納部
【図１】
2018204242.tif 000003
【図２】
2018204242.tif 000004
【図３】
2018204242.tif 000005
【図４】
2018204242.tif 000006
【図５】
2018204242.tif 000007
【図６】
2018204242.tif 000008
【図７】
2018204242.tif 000009